(57)【特許請求の範囲】
【請求項１】
内容物取出用ステム（６）と該ステム（６）を囲む環状のマウンテンキャップ（１２）とが設けられた容器（５）の頭部（５ａ）に装着される容器カバーにおいて、
上記ステム（６）に嵌着されていてステム（６）を押し操作可能な噴出操作部（２）と、該噴出操作部（２）を除いて上記容器（５）の頭部（５ａ）を被蓋するカバー本体（３）とを有しており、
上記カバー本体（３）は、上記マウンテンキャップ（１２）に内嵌して係合可能となる内固定枠（１３）と、マウンテンキャップ（１２）に外嵌して係合可能となる外固定枠（１４）と、これら内外固定枠（１３，１４）を連結する天枠（１５）とを有し、
上記外固定枠（１４）には周方向の少なくとも１か所にマウンテンキャップ（１２）に対する非係合部（２１）が設けられていると共に、上記内固定枠（１３）には外固定枠（１４）の非係合部（２１）からステム（６）位置を介した対称位置にマウンテンキャップ（１２）に対する非係合部（２４）が設けられており、
外固定枠（１４）における内固定枠（１３）の非係合部（２４）とほぼ対応する部位では当該外固定枠（１４）が、また内固定枠（１３）における外固定枠（１４）の非係合部（２１）とほぼ対応する部位では当該内固定枠（１３）が、それぞれマウンテンキャップ（１２）に係合可能な状態を確保されており、
外固定枠（１４）において非係合部（２１）が設けられている位置に対応して、この位置で噴出操作部（２）とカバー本体（３）の少なくとも噴出操作部（２）の側面を横押しすることによって噴出操作部（２）とカバー本体（３）とが一体とされてマウンテンキャップ（１２）から取り外し可能とされ、
前記噴出操作部（２）の根元部まわりには、連結部（８）を除いて周溝（９）が設けられ、前記噴出操作部（２）及び前記カバー本体（３）は該連結部（８）を介して一体形成されていることを特徴とする容器カバー。
【請求項２】
下方へ押したときに前記噴出操作部（２）を傾動して容器（５）のステム（６）を押して容器（５）の内容物を噴出させる押釦部（７）を有することを特徴とする請求項１記載の容器カバー。
【請求項３】
内容物取出用ステム（６）と該ステム（６）を囲む環状のマウンテンキャップ（１２）とが設けられた容器（５）の頭部（５ａ）に装着される容器カバーにおいて、
上記ステム（６）に嵌着されていてステム（６）を押し操作可能な噴出操作部（２）と、該噴出操作部（２）を除いて上記容器（５）の頭部（５ａ）を被蓋するカバー本体（３）とを有しており、
上記カバー本体（３）は、上記マウンテンキャップ（１２）に内嵌して係合可能となる内固定枠（１３）と、マウンテンキャップ（１２）に外嵌して係合可能となる外固定枠（１４）と、これら内外固定枠（１３，１４）を連結する天枠（１５）とを有し、
上記外固定枠（１４）には周方向の少なくとも１か所にマウンテンキャップ（１２）に対する非係合部（２１）が設けられていると共に、上記内固定枠（１３）には外固定枠（１４）の非係合部（２１）からステム（６）位置を介した対称位置にマウンテンキャップ（１２）に対する非係合部（２４）が設けられており、
外固定枠（１４）における内固定枠（１３）の非係合部（２４）とほぼ対応する部位では当該外固定枠（１４）が、また内固定枠（１３）における外固定枠（１４）の非係合部（２１）とほぼ対応する部位では当該内固定枠（１３）が、それぞれマウンテンキャップ（１２）に係合可能な状態を確保されており、
外固定枠（１４）において非係合部（２１）が設けられている位置に対応して、この位置で噴出操作部（２）とカバー本体（３）の内の少なくとも噴出操作部（２）の側面を横押しすることによって噴出操作部（２）とカバー本体（３）とが一体とされてマウンテンキャップ（１２）から取り外し可能とされ、
前記噴出操作部（２）とカバー本体（３）とは別部材で形成されかつカバー本体（３）に対して抜止めのための係合鍔（３３）が設けられていることを特徴とする容器カバー。
【請求項４】
前記内固定枠（１３）の非係合部（２４）、若しくは前記外固定枠（１４）の非係合部（２１）が、マウンテンキャップ（１２）には未当接となる切欠（２０）（２３）として形成されていることを特徴とする請求項１乃至請求項３のいずれかに記載の容器カバー。
【請求項５】
前記外固定枠（１４）の非係合部（２１）及び前記内固定枠（１３）の非係合部（２４）が、周方向に複数設けられていることを特徴とする請求項１乃至請求項４のいずれかに記載の容器カバー。
【請求項６】
請求項１乃至請求項５のいずれかに記載の容器カバー（１）を容器頭部（５ａ）に装着していることを特徴とする容器カバー付き容器。
【発明の詳細な説明】
【０００１】
【発明の属する利用分野】
本発明は、容器カバー及び容器カバー付き容器に関するものである。
【０００２】
【従来の技術】
化粧品類をはじめ、各種薬剤や溶液等を詰めたエアゾール容器等の容器では、その頭部に、内容物の取出機能を有する容器カバーが装着されている。
この容器カバーは、容器の頭部に設けられた内容物取出用のステムに対して嵌着される噴出操作部と、この噴出操作部を除いて容器の頭部を被蓋するカバー本体とを有した構成となっており、噴出操作部による内容物の取出形態として、ムースタイプとスプレータイプとに大別される。
【０００３】
なお、噴出操作部とカバー本体とは、互いに一体形成されている場合や、それぞれ別部材であるが不可分一体に組み立てられている場合、及び別部材を別個独立した状態で容器に組み付けられている場合がある。
このような容器カバーは一般にプラスチック製であり、これに対して容器はアルミやスチール等の金属製であるか又はガラス製である。従って、環境問題が叫ばれている昨今では、使用済み後の廃棄時にこれら容器カバーと容器とを分別することが使用者側に求められている。
【０００４】
ところで、容器の頭部には、上記ステムを囲むようにして環状のマウンテンキャップが設けられており、容器カバーは、このマウンテンキャップを外嵌しつつ係合する円筒形の固定枠を有して、この固定枠を介して容器に装着するものとなっている。
従来、このような構造で容器に装着されている容器カバーを、その廃棄時に取り外せるようにするためには、固定枠における周方向の一部に当初より切欠を設けておくと共に、この切欠に対応する外周面位置又は天面に、この切欠をステム位置方向へ向けて側方押圧させるべく促す表示部を設ける構造を採用していた（特開平１０−１７０４０号公報、特開平１０−１６７３５６号公報、特開平１０−２３０１９７号公報、特開平１０−２４５０８２号公報等参照）。
【０００５】
【発明が解決しようとする課題】
従来において、容器から容器カバーを取り外すために採られていた上記の構造では、固定枠の周方向一部に切欠を設けているため、この切欠では当然のことながらマウンテンキャップとの係合は行われていないことになる。
従って、このことが必要時における容器カバーの取り外しを容易にしているものであるが、裏を返せば、この切欠では意図しないとき（廃棄時でないとき）でも容器カバーを外れ易くするから、実際に、容器の一般的な取り扱い中であるにも拘わらず、容器から容器カバーが外れてしまうということがあった。
【０００６】
本発明は、上記事情に鑑みてなされたものであって、廃棄時等の必要時には簡単に容器カバーを容器から取り外すことができるようにし、しかし必要時以外には容器から容器カバーが簡単に外れてしまうことがないようにできる容器カバー及び容器カバー付き容器を提供することを目的とする。
【０００７】
【課題を解決するための手段】
本発明では、上記目的を達成するために、次の技術的手段を講じた。
即ち、本発明に係る容器カバーは、内容物取出用ステムとこのステムを囲む環状のマウンテンキャップとが設けられた容器の頭部に装着されるものであって、上記ステムに嵌着される噴出操作部と、この噴出操作部を除いて上記容器の頭部を被蓋するカバー本体とを有している。
そして、このうちカバー本体は、上記マウンテンキャップに内嵌して係合可能となる内固定枠と、マウンテンキャップに外嵌して係合可能となる外固定枠と、これら内外固定枠を連結する天枠とを有している。すなわち、少なくとも内固定枠と外固定枠との二重の固定枠を有したものである。
【０００８】
また、上記外固定枠には、周方向の少なくとも１か所にマウンテンキャップに対する非係合部が設けられていると共に、上記内固定枠には、外固定枠の非係合部からステム位置を介した対称位置にマウンテンキャップに対する非係合部が設けられている。
この場合、外固定枠においては、内固定枠の非係合部とほぼ対応する部位で、この外固定枠がマウンテンキャップに係合可能な状態を確保されていることが重要とされる。また、内固定枠においては、外固定枠の非係合部とほぼ対応する部位で、この内固定枠がマウンテンキャップに係合可能な状態を確保されていることが重要とされる。
【０００９】
このような構成であると、外固定枠において非係合部が設けられた部分では内固定枠がマウンテンキャップに係合しており、また内固定枠において非係合部が設けられた部分では外固定枠がマウンテンキャップに係合していることになるため、結果として、外固定枠及び内固定枠の共同体として、マウンテンキャップにほぼ全周的に係合していることになる。
そのため、廃棄時等の必要時には外固定枠において非係合部が設けられた位置に対応して側面押圧すれば、容器カバーを容器から簡単に取り外すことができるものであり、必要時以外では（意欲をもって外そうとしない限りは）、容器から容器カバーが外れないもの、或いは外れ難いものとなる。
【００１０】
カバー本体には、外固定枠の非係合部が設けられた周方向位置に対応して、側方押圧を促す表示部を設けておくのが好ましい。
このようにすることで、操作位置を見つけや易くなる。
内固定枠の非係合部は、マウンテンキャップには未当接となる切欠として形成しておくのが好適である。
このようにすることで、一層、外しやすくなる。
カバー本体に対して外固定枠を被覆する肩カバー部が設けられている場合であれば、前記外固定枠の非係合部は、マウンテンキャップには未当接となる切欠として形成しておくのが好適である。
【００１１】
このようにすることで、一層、外しやすくなる。
外固定枠の非係合部及び前記内固定枠の非係合部は、周方向に複数設けておくことができる。
このようにすれば、操作位置が多くなることに伴って操作位置を見つけやすいと言うことに繋がり、結果として外しやすいことになる。また、外固定枠や内固定枠において可撓性が増すことに繋がるため、このことも、外しやすさを助長するものとなる。
【００１２】
一方、本発明に係る容器カバー付き容器では、上記構成の容器カバーを容器頭部に装着したものであり、上記作用効果を得ることができるものである。
【００１３】
【発明の実施の形態】
以下、図面に基づいて本発明の実施の形態を説明する。
図１乃至図４は、本発明に係る容器カバー１の第１実施形態を示している。
図２及び図３に示すように、この容器カバー１は、噴出操作部２とカバー本体３とを有したもので、噴出操作部２は、容器５の頭部５ａに設けられた内容物取出用のステム６に対して嵌着されるようになっており、またカバー本体３は、この噴出操作部２を除いて容器５の頭部５ａを被蓋するようになっている。
【００１４】
この第１実施形態において、噴出操作部２における内容物の取出形態はムースタイプとされており、従ってこの噴出操作部２は、やや先細りとなるパイプ状に形成され、その根元部には側方へ膨出するかたちで押釦部７が設けられている。
噴出操作部２の根元部まわりには、細幅に形成された１か所の連結部８を除いて略１周する周溝９が設けられている。すなわち、これら噴出操作部２及びカバー本体３は、連結部８を介して互いに一体形成されている。これらの形成素材としては、ポリプロピレン、ポリエチレン、ＡＢＳ等の適宜プラスチックが用いられている。
【００１５】
従って、連結部８にはある程度の可撓性が与えられた状態となり、この可撓性に基づき、噴出操作部２は、押釦部７を下方へ押したときに傾動自在となっている。この噴出操作部２の傾動により、容器５のステム６を押して容器５の内容物を噴出させるものである。
なお、容器５は、アルミやスチール等の金属製、又はガラス製とされており、その頭部５ａには、上記したステム６を囲むようにして環状のマウンテンキャップ１２が設けられている。
【００１６】
上記カバー本体３は、容器５のマウンテンキャップ１２を利用して、これに係合することで容器５の頭部５ａに装着されるようになっている。すなわち、このカバー本体３は内固定枠１３と外固定枠１４、及びこれら内外固定枠１３，１４を連結する天枠１５並びに外固定枠１４のまわりを被覆する肩カバー部１６とを有している。
なお、肩カバー部１６は、容器５の外周面をそのまま同径で立ち上げた状態とし、そのうえで外膨らみ状のアールを伴いながら中心方向へ延びて外固定枠１４のまわりを被覆するようになっている。
【００１７】
内固定枠１３は、マウンテンキャップ１２に内嵌可能な直径を有する円筒形に形成されたもので、その下端部の外周面には、径方向外方へ少しだけ膨出して上記マウンテンキャップ１２の内周部に係合可能となる係合凸条１７が設けられている。
また外固定枠１４は、マウンテンキャップ１２に外嵌可能な直径を有する円筒形に形成されたもので、その下端部の内周面には、径方向内方へ少しだけ膨出して上記マウンテンキャップ１２の外周部に係合可能となる係合凸条１８が設けられている。
【００１８】
図３及び図４に示すように、上記外固定枠１４には、その周方向の１か所に、マウンテンキャップ１２には未当接となる切欠２０が設けられている。この切欠２０の部分では、同時に係合凸条１８も除去されたかたちになるので、これによってマウンテンキャップ１２に対する非係合部２１が形成されることになる。
また、上記内固定枠１３でも同じように、その周方向の１か所に、マウンテンキャップ１２には未当接となる切欠２３が設けられている。この切欠２３の部分では、同時に係合凸条１７も除去されたかたちになるので、これによってマウンテンキャップ１２に対する非係合部２４が形成されることになる。
【００１９】
そして、外固定枠１４に設けられる非係合部２１と、内固定枠１３に設けられる非係合部２４とは、互いにステム６の位置を介した対称位置に配されたものとなっている。
外固定枠１４において、その非係合部２１が設けられる部分以外は、全て、この外固定枠１４がマウンテンキャップ１２に係合可能な状態を確保されていることになり、また内固定枠１３において、その非係合部２４が設けられる部分以外は、全て、この内固定枠１３がマウンテンキャップ１２に係合可能な状態を確保されていることになるので、その結果、外固定枠１４の非係合部２１位置では必ず内固定枠１３がマウンテンキャップ１２に係合し、また内固定枠１３の非係合部２４位置では必ず外固定枠１４がマウンテンキャップ１２に係合するようになる。
【００２０】
すなわち、このカバー本体３は、これら内外固定枠１３，１４の共同体として、マウンテンキャップ１２に全周的に係合していることになる。従って、容器５からカバ−体１が簡単に外れてしまうということはない。
また、このように内外固定枠１３，１４による二重構造にすると、容器５に対する容器カバー１の回転を抑えることができるようになり、それだけ容器５として使いやすくなると共に、このような回転を原因として内固定枠１３や外固定枠１４が変形を起こすこともなくなり、意図しないときに容器５からカバ−体１が外れるのを防止する効果も、それだけ高くなる。
【００２１】
なお、図２に示すように、カバー本体３の天枠１５上面や肩カバー部１６の上面又は外周面には、外固定枠１４において非係合部２１が設けられている周方向位置に対応して、この位置を側方押圧するように促すための表示部２５，２６が設けられている。
この表示部２５，２６は、矢印や星印、円形、多角形等の図形又は文字でもよく、またその設け方も、成形と同時の浮き出し又は凹ませによるものをはじめ、成型後の刻印、着色、印刷、シール貼付等、適宜方法を採用可能である。
【００２２】
また、２つの表示部２５，２６は、いずれか一方だけ設けるだけでも足りる。
このような構成の容器カバー１にあって、いまこの容器カバー１が容器５の頭部５ａに装着された状態にあるものとして、容器５の内容物を使いきったことによって廃棄するのに先駆けて、この容器カバー１を容器５から取り外す場合を説明する。
容器カバー１を外すには、外固定枠１４において非係合部２１が設けられている周方向位置に対応して、この位置を側方押圧するようにするが、このとき、天枠１５の上面に設けられた表示部２５にしたがって、図３及び図１中に矢符Ｘで示すように噴出操作部２の側面を横押ししたとする。
【００２３】
すると、噴出操作部２は、ステム６を押し込む範囲を超えて傾動するようになり、これに伴って容器カバー１全体に横移動しようとする力が加えられる。このとき、この横移動方向の先方側では、マウンテンキャップ１２の内周部に対して内固定枠１３の非係合部２４が対応しており、従ってこのマウンテンキャップ１２の内アールに沿いつつ非係合部２４、即ち、切欠２３における周方向両側の開口縁部が幅詰め状に対向接近されるようになる。
そのため、内固定枠１３は縮径状態となり、これに伴って容器カバー１全体としての上記横移動状況は、一層、進行されることになる。
【００２４】
これに対し、容器カバー１全体の横移動における横移動方向の後方側では、マウンテンキャップ１２の外周部に対して外固定枠１４の非係合部２１が対応しており、従って容器カバー１全体としての上記横移動に支障は生じないものとなっている。
このようなことから、容器カバー１は上記の横移動によって、簡単に、容器５から取り外せることになる。
一方、容器カバー１を外すときに、肩カバー部１６の上面に設けられた表示部２６にしたがって、図３及び図１中に矢符Ｙで示すように肩カバー部１６の側面を横押ししたとする。
【００２５】
すると、容器カバー１全体に直接、横移動しようとする力が加えられ、この力はまた、肩カバー部１６と共に外固定枠１４を移動方向に対する両側方へ拡大させ移動方向へ短縮化する向きに、偏心状の変形を起こさせることになる。このとき、内固定枠１３の非係合部２４において切欠２３の開口縁部が幅詰め状に対向接近され、これによって内固定枠１３が縮径すること、及び外固定枠１４の非係合部２１が容器カバー１全体としての上記横移動に支障を生じさせないことは、噴出操作部２の側面を矢符Ｘで示すように横押しした上記の場合と略同じである。
【００２６】
このようなことから、容器カバー１は上記の横移動によって、簡単に、容器５から取り外せることになる。
図５は、本発明に係る容器カバー１の第２実施形態を示している。
この第２実施形態において、上記第１実施形態と異なるところは、外固定枠１４に設けた非係合部２１を、当該外固定枠１４中においてその半周より更に広範囲を占めるものとし、これにより外固定枠１４において係合凸条１８が形成される範囲が、丁度、内固定枠１３に設けた非係合部２４とオーバーラップするようになっている点にある。
【００２７】
内固定枠１３に設けた非係合部２４は、上記第１実施形態の場合と同じ範囲にしてある。その他の構成及び作用効果については、上記第１実施形態の場合と略同じである。図６は、本発明に係る容器カバー１の第３実施形態を示している。この第３実施形態において、上記第１実施形態と異なるところは、内固定枠１３に設けた非係合部２４を、当該内固定枠１３中においてその半周より更に広い範囲を占めるものとし、これにより内固定枠１３において係合凸条１７が形成される範囲が、丁度、外固定枠１４に設けた非係合部２１とオーバーラップするようになっている点にある。
【００２８】
外固定枠１４に設けた非係合部２１は、上記第１実施形態の場合と同じ範囲にしてある。
その他の構成及び作用効果については、上記第１実施形態の場合と略同じである。
図７は、本発明に係る容器カバー１の第４実施形態を示している。
この第４実施形態において、上記第１実施形態と異なるところは、外固定枠１４及び内固定枠１３において、それらの非係合部２１，２４をいずれも周方向の３等配位置へ振り分け状に複数設けるものとし、且つ、これら外固定枠１４の非係合部２１と内固定枠１３の非係合部２４とが、交互配置となっている点にある。
【００２９】
この第４実施形態では、容器カバー１に対して側面押圧を可能とする操作位置も、３か所に設けられることになる。
また、操作位置を図７に示すようにＹａ，Ｙｂ，Ｙｃとおくとき、Ｙａ位置への押圧操作を受ける構造として、上記第１実施形態の場合と同様に外固定枠１４の非係合部２１Ａが切欠２０とされ、内固定枠１３の非係合部２４Ａが切欠２３とされたものとなっているが、Ｙｂ位置への押圧操作を受ける構造としては、外固定枠１４の非係合部２１Ｂは切欠２０を伴わず係合凸条１８を除去しただけのものとされ、また内固定枠１３の非係合部２４Ｂも切欠２３を伴わず係合凸条１７を除去しただけのものとされている。
【００３０】
また、Ｙｃ位置への押圧操作を受ける構造としても、外固定枠１４の非係合部２１Ｃは切欠２０を伴わず係合凸条１８を除去しただけのものとされ、また内固定枠１３の非係合部２４Ｃも切欠２３を伴わず係合凸条１７を除去しただけのものとされている。
このような構成でも、作用効果としては上記第１実施形態の場合と略同じものが得られる。
図８及び図９は、本発明に係る容器カバー１の第５実施形態を示している。
【００３１】
この第５実施形態は、噴出操作部２による内容物の取出形態がスプレータイプとされたもので、この噴出操作部２を押込み操作したときに、当該噴出操作部２の内部に形成された通路３０からノズル３１を介して容器５の内容物が噴出するようになっている。
また、この噴出操作部２は、カバー本体３とは別部材のものとして形成されているが、このカバー本体３に対して不可分一体の状態に組み立てられている。
従ってこの第５実施形態でも、上記した第１実施形態と同じく、図９中に矢符Ｙで示す部位だけでなく、同矢符Ｘで示す部位、即ち、噴出操作部２の側面を横押しすることによって容器カバー１を容器５から取り外すことができるというものである。
【００３２】
その他の構成及び作用効果については、上記第１実施形態の場合と略同じである。また、第２乃至第４実施形態で説明した第１実施形態との各種差異構成を、この第５実施形態に採り入れることもできる。
図１０及び図１１は、本発明に係る容器カバー１の第６実施形態を示している。
この第６実施形態も、噴出操作部２による内容物の取出形態がスプレータイプとされたものである。またこの噴出操作部２は、カバー本体３とは別部材のものとして形成されている。上記第６実施形態との差異は、この第６実施形態の噴出操作部２がカバー本体３とは別個独立した状態で容器５に組み付けられている点にある。
【００３３】
ただ、この噴出操作部２には、カバー本体３に対して抜止めのための係合鍔３３が設けられているため、この第６実施形態でも、図１１中に矢符Ｙで示す部位だけでなく、同矢符Ｘで示す部位、即ち、噴出操作部２の側面を横押しすることによって容器カバー１を容器５から取り外すことができるというものである。その他の構成及び作用効果については、上記第１実施形態の場合と略同じである。また、第２乃至第５実施形態で説明した第１実施形態との各種差異構成を、この第６実施形態に採り入れることもできる。
【００３４】
図１２及び図１３は、本発明に係る容器カバー１の第７実施形態を示している。
この第７実施形態は、上記第１実施形態の場合と同様に、噴出操作部２による内容物の取出形態がムースタイプとされたものである。上記第１実施形態と異なるところは、外固定枠１４のまわりを被覆する肩カバー部１６が撫で肩状に傾斜状態で設けられている点にある。
従って、このような肩カバー部１６であると、この肩カバー部１６の外周面を側方押圧しても、これによって外固定枠１４を偏心状変形させることは非常に困難となる。そこでこの第７実施形態において、容器カバー１を容器５から取り外すための側面押圧は、噴出操作部２の側面を横押しする方法（矢符Ｘ参照）だけに依存することになる。
【００３５】
また、この第７実施形態では、外固定枠１４に設ける非係合部２１として、切欠２０を伴わず係合凸条１８を除去しただけのものとしている。
なお、この第７実施形態についても、第２乃至第４実施形態で説明した第１実施形態との各種差異構成を採用可能である。
特に、図１４は、第７実施形態を基礎とした場合において、第１実施形態から第４実施形態（図７参照）への展開と同パターンで変形を加えた場合の第８実施形態であるが、この図１４から明らかなように、外固定枠１４及び内固定枠１３においてそれらの非係合部２１，２４を周方向に複数設けることは可能であり、このことと、上記のように噴出操作部２の側面を横押しする方法だけに依存することに起因してその操作位置（側面押圧の方向）が一義的に固定されることとは、必ずしも整合させる必要はない。
【００３６】
図１５及び図１６は、本発明に係る容器カバー１の第９実施形態を示している。
この第９実施形態は、上記第７及び第８実施形態の場合と同様に、噴出操作部２による内容物の取出形態がムースタイプとされたもので、上記第７及び第８実施形態と異なるところは、外固定枠１４のまわりに肩カバー部１６が無い点にある。
この第９実施形態におけるその他の事情は、全て上記第７及び第８実施形態の場合と同じである。
【００３７】
図１７は、本発明に係る容器カバー１の第１０実施形態を示している。
この第１０実施形態において、第１実施形態と異なるところは、以下の通りである。すなわち、第１実施形態では、図４に示すように、内外の係合凸条１７，１８は周方向にオーバーラップしており、カバー体３は、内外固定枠１３，１４の共同として、マウンテンキャップ１２に完全に全周的に係合しているのに対して、第１０実施形態では、内外の係合凸条１７，１８は、周方向に間隔（非オーバーラップ部）ｄをおいて配置されており、内外固定枠１３，１４とマウンテンキャップ１２との係合は、完全ではないが、ほぼ全周的なものとなっている。また、言い換えれば、第１０実施形態では、内外の切欠２０，２３（非係合部２１，２４）が周方向に一部オーバーラップしている。このようなものであっても、本発明の目的を十分に達成することができる。
【００３８】
図１８は、本発明に係る容器カバー１の第１１実施形態を示している。この第１１実施形態において、第１実施形態と異なるところは、以下の通りである。すなわち、第１実施形態では、外固定枠１４の非係合部２１は、切欠２０を設けることによって形成されていたが、この第１１実施形態では、非係合部２１は、マウンテンキャップ１２に未当接となる離間部３０によって形成されている。この離間部３０は、外固定枠１４が外径方向に屈曲して形成されたものであって、この屈曲した離間部３０では、外側の係合凸条１８がマウンテンキャップ１２から逃げており未当接となる。
【００３９】
なお、図１８では、外固定枠１４の非係合部２１が離間部３０によって構成されたものを示したが、内固定枠１３の非係合部２４も同様に離間部によって構成してもよい。この場合、内固定枠１３を内径方向に屈曲して形成すればよい。このように、非係合部２１，２４としては、固定枠１３，１４に切欠２０，２３を設けたものや、係合凸条１７，１８を除去したものの他、離間部３０を設けたものとすることもできる。本発明は、上記各実施形態以外にも、各種の変更等が可能である。
【００４０】
【発明の効果】
以上の説明から明らかなように、本発明に係る容器カバーにおいてカバー本体は、容器のマウンテンキャップに内嵌及び外嵌する内外二重の固定枠を有し、これら両固定枠にはステム位置を介した対称配置に非係合部が設けられ、そして外固定枠の非係合部位置では内固定枠がマウンテンキャップに係合し、また内固定枠の非係合部位置では外固定枠がマウンテンキャップに係合するようになっている。
【００４１】
そのため、廃棄時等の必要時には外固定枠の非係合部位置に対応して側面押圧すれば、容器カバーを容器から簡単に取り外すことができるものであり、必要時以外では（意欲をもって外そうとしない限りは）、内外両固定枠が共同してマウンテンキャップにほぼ全周的に係合しているために、容器から容器カバーが簡単に外れてしまうことはない。
一方、本発明に係る容器カバー付き容器では、上記構成の容器カバーを容器頭部に装着したものであり、上記作用効果を得ることができるものである。
【図面の簡単な説明】
【図１】本発明に係る容器カバーの第１実施形態について容器から取り外す様子を示した側断面図である。
【図２】図３に対応する平面図である。
【図３】本発明に係る容器カバーの第１実施形態を示す側断面図である。
【図４】図３に対応する底面（裏面）図である。
【図５】本発明に係る容器カバーの第２実施形態について図４と比較し易く示した底面（裏面）図である。
【図６】本発明に係る容器カバーの第３実施形態について図４と比較し易く示した底面（裏面）図である。
【図７】本発明に係る容器カバーの第４実施形態について図４と比較し易く示した底面（裏面）図である。
【図８】図９に対応する平面図である。
【図９】本発明に係る容器カバーの第５実施形態を示す側断面図である。
【図１０】図１１に対応する平面図である。
【図１１】本発明に係る容器カバーの第６実施形態を示す側断面図である。
【図１２】本発明に係る容器カバーの第７実施形態を示す側断面図である。
【図１３】図１２に対応する底面（裏面）図である。
【図１４】本発明に係る容器カバーの第８実施形態について図１３と比較し易く示した底面（裏面）図である。
【図１５】本発明に係る容器カバーの第９実施形態を示す側断面図である。
【図１６】図１５に対応する底面（裏面）図である。
【図１７】本発明に係る容器カバーの第１０実施形態について図４と比較し易く示した底面（裏面）図である。
【図１８】本発明に係る容器カバーの第１１実施形態について図４と比較し易く示した底面（裏面）図である。
【符号の説明】
１    容器カバー
２    噴出操作部
３    カバー本体
５    容器
５ａ  頭部
６    ステム
１２    マウンテンキャップ
１３    内固定枠
１４    外固定枠
１５    天枠
１６    肩カバー部
２０    切欠（外固定枠の非係合部）
２１    外固定枠の非係合部
２３    切欠（内固定枠の非係合部）
２４    内固定枠の非係合部
２５    表示部
２６    表示部
【図１】
0003805930.tif 000002
【図２】
0003805930.tif 000003
【図３】
0003805930.tif 000004
【図４】
0003805930.tif 000005
【図５】
0003805930.tif 000006
【図６】
0003805930.tif 000007
【図７】
0003805930.tif 000008
【図８】
0003805930.tif 000009
【図９】
0003805930.tif 000010
【図１０】
0003805930.tif 000011
【図１１】
0003805930.tif 000012
【図１２】
0003805930.tif 000013
【図１３】
0003805930.tif 000014
【図１４】
0003805930.tif 000015
【図１５】
0003805930.tif 000016
【図１６】
0003805930.tif 000017
【図１７】
0003805930.tif 000018
【図１８】
0003805930.tif 000019